(57)【要約】【課題】蓄電部の電気量を不足させることなく、しかも、その他の物品に対する磁束エネルギーの影響を低減できるようにする。【解決手段】被充電装置３及び被充電装置３に充電する充電装置１を備え、被充電装置３が、磁束エネルギーを受けて蓄電部に充電する充電手段を備え、充電装置１が、被充電装置３を載置可能かつ被充電装置３の被載置部３５より面積が大きい載置部１０と、載置部１０から被充電装置３側に磁束エネルギーを送る磁束エネルギー出力手段とを備え、磁束エネルギー出力手段が、被充電装置３の載置位置に対応して磁束エネルギーの出力範囲を限定する出力範囲限定手段を備えた。【選択図】      図１
2009189136.tif 000002
【特許請求の範囲】
【請求項１】
被充電装置及び該被充電装置に充電する充電装置を備える充電システムであって、
前記被充電装置が、磁束エネルギーを受けて蓄電部に充電する充電手段を備え、
前記充電装置が、
前記被充電装置を載置可能かつ該被充電装置の被載置部より面積が大きい載置部と、
前記載置部から前記被充電装置側に磁束エネルギーを送る磁束エネルギー出力手段とを備え、
前記磁束エネルギー出力手段が、前記被充電装置の載置位置に対応して磁束エネルギーの出力範囲を限定する出力範囲限定手段を備えることを特徴とする充電システム。
【請求項２】
前記出力範囲限定手段が、前記載置部を予め区画してなる複数の所定部分毎に備えられる磁束エネルギー発生部を備える請求項１記載の充電システム。
【請求項３】
前記所定部分のうち、前記被充電装置の載置位置に対応する特定部分を選択する特定部分選択手段を備え、
前記出力範囲限定手段が、前記特定部分選択手段により特定された所定部分の磁束エネルギー発生部を動作させる請求項２記載の充電システム。
【請求項４】
前記特定部分選択手段が、
前記被充電装置の被載置部から、前記載置部側に所定の無線信号を送信する無線信号送信手段と、
前記充電装置の前記所定部分毎に備えられ、前記無線信号を受信可能な無線信号受信手段とを備え、
前記特定部分選択手段が、前記無線信号受信手段が受信した無線信号に基づいて前記特定部分を選択する請求項３記載の充電システム。
【請求項５】
前記複数の所定部分が前記載置部のほぼ全面に亘って配置される請求項２〜４のいずれか一項に記載の充電システム。
【請求項６】
前記被充電装置が、情報処理端末であることを特徴とする請求項１〜５のいずれか一項に記載の充電システム。
【請求項７】
被充電装置に充電する充電装置であって、
前記充電装置が、
前記被充電装置を載置可能かつ該被充電装置の被載置部より面積の大きい載置部と、
前記載置部から前記被充電装置側に磁束エネルギーを送る磁束エネルギー出力手段とを備え、
前記磁束エネルギー出力手段が、前記被充電装置の載置位置に対応して磁束エネルギーの出力範囲を限定する出力限定手段を備えることを特徴とする充電装置。
【請求項８】
前記出力範囲限定手段が、前記載置部を予め区画してなる複数の所定部分毎に備えられる磁束エネルギー発生部を備える請求項７記載の充電装置。
【請求項９】
充電装置により充電される被充電装置であって、
磁束エネルギーを受けて蓄電部に充電する充電手段と、
前記充電装置の載置部に載置可能かつ該載置部より面積が小さい被載置部と、を備え、
前記充電手段が、前記充電装置側において、前記載置部に対する前記被載置部の載置位置に対応して限定された出力範囲からの磁束エネルギーを受けることにより充電を行なうことを特徴とする被充電装置。
【発明の詳細な説明】
【技術分野】
【０００１】
本発明は、例えば、飲食店において飲食物のオーダや、カラオケ店舗のカラオケ曲の目録の検索等に用いられる情報処理端末などの被充電装置が備える充電池に充電する充電システムに関する。
【背景技術】
【０００２】
一般に、飲食店のオーダ端末、カラオケ店舗の目録端末等の情報処理端末が知られている。
この種の情報処理端末（オーダ端末）は、図３に示すように、利用者が手軽に使えるようにするためポータブルサイズに形成されるとともに、オーダ情報などを無線送信する機能を備えており、卓上でフレキシブルに利用される。
また、情報処理端末は、充電タイプのバッテリを備えており、バッテリの電力により動作される。
そして、情報処理端末のバッテリは、例えば、卓の片隅に置かれた充電装置の充電台に装着することにより定期的に充電がなされる。
【０００３】
このような情報処理端末などの被充電装置と被充電装置に充電装置とを備える充電システムにおいては、例えば、飲食店などにおいて卓上で操作される場合は、情報処理端末の充電端子が水などの液体で濡れることにより、端子のショートや腐食による接触不良が生じるおそれがあった。
このような問題を解決する技術としては、例えば、特許文献１記載の技術が提案されている。
特許文献１には、端子同士を接続しないで充電する非接触タイプの充電機器の技術が記載されている。
【０００４】
この技術を適用した充電システムにおいては、情報端末装置である被充電装置は、充電装置の充電台に接触させることにより、充電装置から磁束エネルギーを受ける。
被充電装置は、この磁束エネルギーに応じて内部のバッテリに充電する。
【０００５】
【特許文献１】特開２００４−３５０４６５号公報
【発明の開示】
【発明が解決しようとする課題】
【０００６】
しかしながら、このような接触タイプ及び非接触タイプの充電システムは、被充電装置である情報処理端末が充電台に接触させることにより充電しているので、充電台へ戻されずにいると、端末のバッテリの容量が少なくなり、バッテリ不足により一時的に使用できなくなるおそれがあった。
すなわち、例えば、飲食店やカラオケ店においては、情報処理端末が一つのテーブル又は利用者のグループごとに少なくとも一台ずつ配置されている場合が多く、利用者が、着席し、飲食、退席するまでは、端末は利用者が自由に使える状態なので、利用者により情報処理端末が卓上等に放置されやすくなっていた。
【０００７】
また、利用者が、オーダだけに限らず、例えば、ゲーム等のエンターテイメントコンテンツなどを情報処理端末で利用すると、情報処理端末が使い続けられるので、バッテリの消耗が顕著化する。
そのため、利用者が退席して、店員が端末を充電台に装着して充電を開始しても、次の利用者が間もなく着席した場合、充電が不十分であれば端末利用中にバッテリ切れになってしまうおそれもあった。
【０００８】
この問題を解決するためには、例えば、図４に示すように、充電台を卓上のほぼ全体に亘って形成することが考えられる。
このようにすると、充電台が磁束エネルギーが、卓上全体に送られるので、利用者が情報処理端末の充電行為を意識させずに、これの充電を行なえるが、充電台の上に、物品が載置されると、これに磁束エネルギーが反応してしまい悪影響が生じてしまうおそれがあった。
特に、例えば、腕時計や金属製食器類（フォーク・ナイフなど）などの金属類が充電台である卓上に載置されると、この金属類が、磁束エネルギーに反応し、その金属類を発熱させるおそれがあった。
そのため、最悪の場合には、利用者が、発熱した金属類に触れることにより、やけどを負ってしまう。
【０００９】
本発明は、以上のような従来の技術が有する問題を解決するために提案されたものであり、蓄電部の電気量を不足させることなく、しかも、その他の物品に対する磁束エネルギーの影響を低減できるようにした充電システム、充電システムに用いられる充電装置及び被充電装置の提供を目的とする。
【課題を解決するための手段】
【００１０】
上記目的を達成するため、本発明の充電システムは、被充電装置及び該被充電装置に充電する充電装置を備える充電システムであって、前記被充電装置が、磁束エネルギーを受けて蓄電部に充電する充電手段を備え、前記充電装置が、前記被充電装置を載置可能かつ該被充電装置の被載置部より面積が大きい載置部と、前記載置部から前記被充電装置側に磁束エネルギーを送る磁束エネルギー出力手段とを備え、前記磁束エネルギー出力手段が、前記被充電装置の載置位置に対応して磁束エネルギーの出力範囲を限定する出力範囲限定手段を備えている。
【００１１】
また、本発明の充電装置は、被充電装置に充電する充電装置であって、前記充電装置が、前記被充電装置を載置可能かつ該被充電装置の被載置部より面積の大きい載置部と、前記載置部から前記被充電装置側に磁束エネルギーを送る磁束エネルギー出力手段とを備え、前記磁束エネルギー出力手段が、前記被充電装置の載置位置に対応して磁束エネルギーの出力範囲を限定する出力限定手段を備えている。
【００１２】
また、本発明の被充電装置は、充電装置により充電される被充電装置であって、磁束エネルギーを受けて蓄電部に充電する充電手段と、前記充電装置の載置部に載置可能かつ該載置部より面積が小さい被載置部と、を備え、前記充電手段が、前記充電装置側において、前記載置部に対する前記被載置部の載置位置に対応して限定された出力範囲からの磁束エネルギーを受けることにより充電を行なうことを特徴とする充電システム。
【発明の効果】
【００１３】
本発明の充電システム、充電装置及び被充電装置によれば、蓄電部の電気量を不足させることなく、しかも、その他の物品に対する磁束エネルギーの影響を低減できる。
【発明を実施するための最良の形態】
【００１４】
以下、本発明に係る充電システムの好ましい実施形態について、図１〜図２を参照しつつ説明する。
図１には、本実施形態の充電システムを示している。
図２には、本実施形態の充電システムのブロック図を示している。
【００１５】
充電システムは、これらの図に示すように、被充電装置及び被充電装置に充電する充電装置を備えている。
被充電装置は、情報処理端末であり、本実施形態においては、飲食店において飲食物をオーダするときに用いられるオーダ端末３で構成されている。
このオーダ端末は、例えば、利用者が手軽に使えるようにするためポータブルサイズに形成されるとともに、オーダ情報などを無線送信する機能を備えており、卓上でフレキシブルに利用される。
【００１６】
オーダ端末３は、磁束エネルギーを受けて蓄電部に充電する充電手段を備えている。
蓄電部は、例えば、二次電池や大容量キャパシタなどの充電池３０で構成されている。充電池３０は、オーダ端末３のオーダ情報などを無線送信する機能などを実現する情報処理部（図示せず）に電力を供給する。
【００１７】
充電手段は、磁束エネルギーを受けて誘電する被充電側平面コイル３２と、被充電側平面コイル３２からの電力を充電池３０に出力する充電モジュール３１とを備えている。
被充電側平面コイル３２は、被載置部３５側に設けられており、磁束エネルギーを受けると所定の交流電力を生成する。
受電モジュールは、被充電側平面コイル３２からの交流電力を、所定の直流電力に変換して充電池３０に出力する。
【００１８】
また、充電装置は、オーダ端末３を載置可能かつオーダ端末３の被載置部３５より面積が大きい載置部１０と、載置部１０からオーダ端末３側に磁束エネルギーを送る磁束エネルギー出力手段とを備えている。
本実施形態において、充電装置は、飲食店の店内に設置された卓１自体で構成されている。
載置部１０は、卓１の天板で構成されている。
磁束エネルギー出力手段は、オーダ端末３の載置位置に対応して磁束エネルギーの出力範囲を限定する出力範囲限定手段を備えている。
【００１９】
出力範囲限定手段は、載置部１０を予め区画してなる所定部分毎に備えられる磁束エネルギー発生部を備えている。
磁束エネルギー発生部は、載置部１０のほぼ全面に亘って配置される非接点充電盤２で構成されている。
非接点充電盤２は、その上部が載置部１０に一体に形成されており、磁束エネルギーを発生する充電盤側平面コイル２３と、充電盤側平面コイル２３に所定周波数の電力を供給する充電盤側発信回路２２と、商用電源２０である交流電源を平滑して直流電源を生成する平滑回路２１とを備えている。
また、非接点充電盤２は、天板に行列状に設けられている。
【００２０】
充電盤側平面コイル２３は、天板の上面近傍に設けられており、上方に磁束エネルギーを出力する。
また、充電盤側発信回路２２は、平滑回路２１に接続されており、平滑回路２１で生成された直流電源を用いて充電盤側平面コイル２３に供給する電力を生成する。
商用電源２０は、各非接点充電盤２の平滑回路２１に並列接続されている。
【００２１】
また、充電システムは、所定部分のうち、被充電装置の載置位置に対応する特定部分を選択する特定部分選択手段を備えている。
すなわち、特定部分選択手段は、複数の非接触充電盤２のうち、オーダ端末３の載置位置に対応する特定の非接触充電盤２（２ａ）を選択する。
【００２２】
特定部分選択手段は、オーダ端末３の被載置部３５から、載置部１０側に所定の無線信号を送信する無線信号送信手段と、非接触充電盤２毎に備えられ、無線信号を受信可能な無線信号受信手段とを備えている。
そして、無線信号受信手段が、受信した無線信号に基づいて特定部分を選択する。
【００２３】
無線信号送信手段は、被充電装置に備えられる端末側発信回路３３及び送信用平面コイル３４で構成されている。
端末側発信回路３３は、充電池３０に接続され、この充電地からの直流電力を用いて所定電力の電気信号を送信用平面コイル３４に出力する。
送信用平面コイル３４は、端末側発信回路３３の電力を受け、この電気信号を、無線信号に変換して出力する。
また、送信用平面コイル３４は、無線信号を、被載置部３５から下方に向けて出力する。
【００２４】
無線信号受信手段は、無線信号を受信可能な受信用平面コイル２５と、受信用平面コイル２５に接続される受信判定部２４とを備えている。
受信用平面コイル２５は、卓１の天板の上面側に設けられており、送信用平面コイル３４の無線信号などの無線信号を受けて所定の電気信号に変換する。
受信判定部２４は、送信用平面コイル３４から送られた電気信号を解析し、この電気信号が、無線信号であるか否かを判定する。
【００２５】
また、受信判定部２４は、電気信号が無線信号であるときは、無線信号受信の判定を行ない、充電盤側発信回路２２を動作させる。
また、受信判定部２４は、送信用平面コイル３４から送られた無線信号が送られ続けている間、継続して充電盤側発信回路２２を動作させる。
また、受信判定部２４は、送信用平面コイル３４からの無線信号の送信範囲外に、受信用平面コイル２５が位置し、受信用平面コイル２５から無線信号に対応する電気信号が出力されなくなると、非受信の判定を行い、充電盤側発信回路２２を非作動にする。
【００２６】
このようにすると、充電システムは、オーダ端末３側からの無線信号により、特定の非接触充電盤２が選択され、この選択された特定の非接触充電盤２の充電盤側平面コイル２３から磁束エネルギーが出力される。
そのため、磁束エネルギーの出力範囲が、オーダ端末３が載置される付近に限定することができる。
【００２７】
次に、以上のような構成からなる本実施形態の充電システムの動作について説明する。
オーダ端末３は、予め、充電池３０を充電しておく。
そして、オーダ端末３は卓１の上に載置された状態で、利用者に用いられる。
【００２８】
オーダ端末３においては、端末側発信回路３３が、充電池３０からの電力により所定の電気信号を送信用平面コイル３４に出力して、この送信用平面コイル３４に無線信号を常時出力させる。
また、この送信用平面コイル３４が送信した無線信号は、複数の非接触充電盤２のうち、いずれかの非接触充電盤（２ａ）の受信用平面コイル２５で受信される。
受信用平面コイル２５が受けた無線信号は、受信判定部２４により解析される。
受信判定部２４が、無線信号がオーダ端末３からのものと判定したときは、充電盤側発信回路２２を作動させる。
【００２９】
充電盤側発信回路２２が、受信判定部２４により作動させられると、充電盤側発信回路２２は、平滑回路２１からの電力により所定周波数の電力を充電盤側平面コイル２３に出力する。
充電盤側平面コイル２３は、充電盤側発信回路２２から電力が入力されると、磁束エネルギーを出力する。
【００３０】
充電盤側平面コイル２３が出力した磁束エネルギーは、被充電側平面コイル３２で受けられる。
被充電側平面コイル３２は、磁束エネルギーを所定の交流電力に変換して充電モジュール３１に出力する。
充電モジュール３１は、被充電側平面コイル３２からの交流電力が入力されると、これを直流電力に変換する。そして、この直流電力により充電池３０を充電する。
【００３１】
次に、オーダ端末３が、利用者が持ち上げるなどして卓上を移動したときには、特定の非接触充電盤２ａにおいては、送信用平面コイル３４が送信した無線信号が、受信用平面コイル２５で受信されなくなり、受信用平面コイル２５から無線信号に対応する電気信号が出力されなくなる。
そして、受信判定部２４が、無線信号の受信がないことを判定する。
【００３２】
受信判定部２４は、無線信号の受信なしを判定しているときは、充電盤側発信回路２２を非作動にする。
そして、オーダ端末３が移動され、対応する位置の別の非接触充電盤２においては、上記と同様にして、オーダ端末３側に磁束エネルギーを出力する。
【００３３】
以上説明したように、本実施形態に係る装置によれば、載置部１０を予め区画してなる複数の所定部分毎に備えられる非接触充電盤２を備えているので、利用者が、充電場所を意識することなく、オーダ端末３を充電することができる。
また、非接触充電盤２が、卓１の天板のほぼ全面に亘って設けられているので、より一層、利用者が、充電場所を意識することなく、オーダ端末３が卓１上のいずれかの位置に載置するだけでこれの充電することができる。
【００３４】
これにより、利用者により情報処理端末が卓１上等に放置されていてもオーダ端末３を充電することができ、オーダ端末３の取り扱いの自由度を向上させることができる。
また、オーダ端末３が、ゲーム等のエンターテイメントコンテンツを利用できる場合に、卓１上で使用され続けても、充電池３０の電気残量が不足しにくくなるので、この点でもオーダ端末３の取り扱いの自由度を向上させることができる。
【００３５】
また、無線信号を受信した非接触充電盤２が、特定の非接触充電盤２として選択され、この特定の非接触充電盤２のみから磁束エネルギーを出力することができるので、出力範囲を限定することができる。
これにより、卓１上に載置されたその他の物品に対する磁束エネルギーの影響を低減することができる。
【００３６】
すなわち、特に、飲食店に設置された場合には、金属製の食器が卓１上に置かれても、磁束エネルギーの出力範囲が限定されているので、食器に磁束エネルギーが影響しにくくなる。
これにより、食器が発熱したりする事態が防止されるので、利用者にやけどなどを負わせてしまう事態を防止することができる。
また、卓上全体から磁束エネルギーを出力しないので、省エネルギーも期待できる。
【００３７】
以上、本発明の充電システム、充電装置及び被充電装置について、好ましい実施形態を示して説明したが、本発明に係る充電システム、充電装置及び被充電装置は、上述した実施形態にのみ限定されるものではなく、本発明の範囲で種々の変更実施が可能であることは言うまでもない。
例えば、被充電装置をオーダ端末としたが、これに限定されるものでなく、例えば、カラオケ店の曲目を指定する端末、携帯電話、ラップトップパソコンなどその他の情報処理端末であってよい。
また、無線信号は、平面コイルからの電波信号としたが、これに限定されるものでなく、赤外線を用いた信号であってよい。
また、上記実施形態においては、オーダ端末の被載置部と非接触充電盤が同じ大きさに形成され、オーダ端末に対応する一つの非接触充電盤から磁束エネルギーを出力するようにしたが、これに限定されるものでなく、非接触充電盤をオーダ端末の被載置部よりも小さく形成して、二以上の非接触充電盤から磁束エネルギーを出力させてもよく、適宜設計変更して差支えない。
【産業上の利用可能性】
【００３８】
以上説明したように、本発明の充電システム、充電装置、被充電装置によれば、飲食店において飲食物のオーダや、カラオケ店舗のカラオケ曲の目録の検索等に用いられる情報処理端末に利用することができる。
【図面の簡単な説明】
【００３９】
【図１】本発明の一実施形態に係る充電システムを示す図である。
【図２】本発明の一実施形態に係る充電システムのブロック図を示している。
【図３】従来の充電システムの一例を示す図である。
【図４】従来の充電システムの別の一例を示す図である。
【符号の説明】
【００４０】
１  卓（充電装置）
１０  載置部
２  非接触充電盤
２０  商用電源
２１  平滑回路
２２  充電盤側発信回路
２３  充電盤側平面コイル
２４  受信判定部
２５  受信用平面コイル
３  オーダ端末（被充電装置）
３０  充電池
３１  充電モジュール
３２  被充電側平面コイル
３３  端末側発信回路
３４  送信用平面コイル
３５  被載置部
【図１】
2009189136.tif 000003
【図２】
2009189136.tif 000004
【図３】
2009189136.tif 000005
【図４】
2009189136.tif 000006